(57)【要約】      （修正有）【課題】印刷フィルムを外層で保護して印刷フィルムの傷付きを防止すると共に、印刷された図柄の見え方を大きく変化させて柄部の装飾性を十分に発揮させる。【解決手段】内層である円柱状の芯部材５と、該芯部材５の外周に貼着されている印刷フィルム６と、芯部材５と略同心状の外層７と、を備え、印刷フィルム６は透明系フィルムに少なくとも１以上の光非透過性の図柄１０が設けられており、周方向の正面から見た場合に印刷フィルム６の芯部材５を挟んだ向こう正面側に位置する図柄像が、前記芯部材５の周面で構成される内層レンズと外層７の周面で構成される外層レンズとで二重に屈折することにより、正面側に位置する印刷フィルム６の図柄像より拡大されて視認される。【選択図】図１
0003121241.tif 000002
【実用新案登録請求の範囲】
【請求項１】
端部中央に凹部（３）が形成され、この凹部（３）の略中央にロッド（２）を固定する固定孔（４）が形成されており、図柄（１０）が印刷された印刷フィルム（６）を備えた図柄埋込柄部において、
内層である円柱状の芯部材（５）と、該芯部材（５）の外周に貼着されている印刷フィルム（６）と、前記芯部材（５）と略同心状の外層（７）と、を備え、
前記印刷フィルム（６）は透明系フィルム（９）に少なくとも１以上の光非透過性の図柄（１０）が設けられており、
周方向の正面から見た場合に印刷フィルム（６）の芯部材（５）を挟んだ向こう正面側に位置する図柄像が、前記芯部材（５）の周面で構成される内層レンズ（８）と外層（７）の周面で構成される外層レンズ（１３）とで二重に屈折することにより、正面側に位置する印刷フィルム（６）の図柄像より拡大されて視認されることを特徴とする図柄埋込柄部。
【請求項２】
前記芯部材（５）及び外層（７）は、光透過度９０％以上で屈折率１．４以上のアクリル系樹脂が用いられていることを特徴とする請求項１に記載の図柄埋込柄部。
【請求項３】
前記外層（７）は、層厚が２ｍｍ以上であることを特徴とする請求項１又は２に記載の図柄埋込柄部。
【請求項４】
前記印刷フィルム（６）は、図柄（１０）を有していない背景（１１）のＣＩＥ表色系におけるＬ*が６０以上であって、前記図柄（１０）のＣＩＥ表色系におけるＬ*が前記背景（１１）より小さいことを特徴とする請求項１〜３のいずれか１項に記載の図柄埋込柄部。
【請求項５】
前記印刷フィルム（６）は、ポリオレフィン系樹脂、ポリエステル系樹脂、ポリアミド系樹脂から選ばれる少なくとも１種以上の樹脂で形成される透明系フィルム（９）を備え、この透明系フィルム（９）にアクリル系樹脂の接着層（１２）が塗布されていることを特徴とする請求項１〜４のいずれか１項に記載の図柄埋込柄部。
【考案の詳細な説明】
【技術分野】
【０００１】
本考案は、装飾性に優れる図柄埋込柄部、特に傘、ステッキ又は杖等の柄部に用いることのできる図柄埋込柄部に関するものである。
【背景技術】
【０００２】
この種の図柄埋込柄部としては、特許文献１に示すように、傘又は杖の柄部に用いられるものであって、軸柄（柄部）の形状に沿って屈曲する袋状を呈する可撓性フィルムに図柄を施して（印刷して）おき、この印刷された可撓性フィルム（以下、印刷フィルムと称する）を熱収縮させて、傘、ステッキなどの柄部表面に密着させたものが知られている。
【特許文献１】特開２０００−１３５９００号公報
【考案の開示】
【考案が解決しようとする課題】
【０００３】
しかしながら、傘又は杖の柄部を当てたり擦ったりして、表面の印刷フィルムが傷つくことがあり、傷ついた部分から剥がれてしまうことがある。印刷フィルムを接着剤等を用いて柄部表面に貼着することもできるが、長期間使用すれば太陽光（紫外線）の影響で印刷フィルム又は接着剤等が劣化して剥がれ易くなってしまい、印刷フィルムの保護は十分とは言えなかった。
【０００４】
一方、透明なフィルムに複数の図柄を印刷すると共に、柄部を透明な合成樹脂で形成すると、印刷された図柄が柄部を通して反対面からも視認され、装飾性に優れるスケルトンのような柄部が得られることがある。
しかしながら、単に印刷フィルムを表面に貼着させただけの柄部では、周方向の正面で視覚される印刷フィルムの図柄の像は、柄部を透過して見えた像と柄部表面の図柄像とに大きな見え方の違いがあるわけではなく、図柄の視覚状態を活かして透明タイプの柄部の装飾性を十分に発揮させることはできなかった。
【０００５】
本考案は、このような問題点を解決し得る図柄埋込柄部を提供することを目的とする。
本考案は、印刷フィルムを外層で保護して印刷フィルムの傷付きを防止すると共に、芯部材に加えて外層を設けることで、図柄の見え方を大きく変化させて装飾性を十分に発揮させられる図柄埋込柄部を提供すること目的とする。
【課題を解決するための手段】
【０００６】
前記目的を達成するため、本考案は、次の手段を講じた。即ち、
端部中央に凹部が形成され、この凹部の略中央にロッドを固定する固定孔が形成されており、図柄が印刷された印刷フィルムを備えた図柄埋込柄部において、
前記柄部は内層である円柱状の芯部材と、該芯部材の外周に貼着されている印刷フィルムと、前記芯部材と略同心状の外層と、を備え、
前記印刷フィルム６は透明系フィルム９に少なくとも１以上の光非透過性の図柄１０が設けられており、
周方向の正面から見た場合に印刷フィルムの芯部材を挟んだ向こう正面側に位置する図柄像が、前記芯部材の周面で構成される内層レンズと外層の周面で構成される外層レンズとで二重に屈折することにより、正面側に位置する印刷フィルムの図柄像より拡大されて視認される。
【０００７】
これによって、印刷フィルムを外層で保護して印刷フィルムの傷付きを防止すると共に、芯部材に加えて外層を設けることで、図柄の見え方を大きく変化させて装飾性を十分に発揮させることができる。
前記芯部材及び外層は、光透過度９０％以上で屈折率１．４以上のアクリル系樹脂が用いられているのが好ましく、また前記外層は、層厚が２ｍｍ以上であるのが好ましい。
【０００８】
これによって、アクリル系樹脂の有する高い光透過性と高屈折率により良好なレンズ効果を発揮させることができ、また外層を層厚が２ｍｍ以上とすることで図柄を透過した光を二重に屈折させることが可能となって、前記印刷フィルム６の図柄１０の見え方を大きく変化させて装飾性を十分に発揮させることができる。
前記印刷フィルムは図柄を有していない部分のＣＩＥ表色系におけるＬ*が６０以上であって、前記図柄のＣＩＥ表色系におけるＬ*が図柄を有していない部分より小さいのが好ましく、ポリオレフィン系樹脂、ポリエステル系樹脂、ポリアミド系樹脂から選ばれる少なくとも１種以上の樹脂で透明系フィルムが形成され、この透明系フィルムにアクリル系樹脂の接着層が塗布されているのが良い。
【０００９】
これによって、周方向の正面から見た場合に図柄を有していない部分から印刷フィルムの芯部材を挟んだ向こう正面側に位置する図柄像が正面側から視認可能となって、装飾性を十分に発揮させられる。
【考案の効果】
【００１０】
本考案により、印刷フィルムを外層で保護して印刷フィルムの傷付きを防止すると共に、芯部材に加えて外層を設けることで、図柄の見え方を大きく変化させて装飾性を十分に発揮させられる。
【考案を実施するための最良の形態】
【００１１】
以下、本考案の図柄埋込柄部（以下、単に柄部１と称する）の実施の形態を図面に基づき説明する。
図１に示すように、本考案の第１実施形態の柄部１は、傘、ステッキ、杖、柄付き靴べらなどのロッド２の把持側に取り付けて用いられる。柄部１は、図１の上方の端部（端面）の略中央に上方に向かって開口する円柱状の凹部３が形成され、この凹部３の底面の略中央側にロッド２を内挿固定する固定孔４が形成されている。この固定孔４は、内周面にねじ部４ａが形成されており、ロッド２の把持側基端２ａに設けられたネジ部と螺合して、ロッド２の把持側基端２ａに取付けられる。
【００１２】
図２及び図３に示すように、前記柄部１は、内層である円柱状の芯部材５と、該芯部材５の外周に貼着されている印刷フィルム６と、前記芯部材５と略同心状の外層７と、を備えている。
前記芯部材５はアクリル系樹脂により円柱状に形成されており、外周面が円弧状に形成された内層レンズ８を周方向に亘って有している。この内層レンズ８は、周方向の正面から見た場合に手前側に向かって円弧状に隆起した断面が上下に亘って形成されており、手前側の内周レンズ８を透過した光をレンズ効果により周（横）方向に拡大させて出力する。
【００１３】
前記芯部材５を構成するアクリル系樹脂は、メチルメタクリレート、エチルメタクリレート、ブチルメタクリレートなどのメタクリル酸エステル重合体、メチルアクリレート、エチルアクリレートなどのアクリル酸エステル重合体、又はこれらと他のモノマーとの共重合体のいずれかを用いることができ、好ましくは光透過率が良好なメタクリル酸エステル重合体を用いるのが良い。前記アクリル系樹脂を用いることで、芯部材５を光透過度９０％以上かつ屈折率１．４以上にすることが可能となり、光が芯部材５の内部を吸収等されることなく十分に透過すると共に大きなレンズ効果を発揮させることができる。
【００１４】
図３の印刷フィルム６の周方向の一部Ａを拡大して、同図の下側の円内に示す。図３の拡大図に示されるように、前記印刷フィルム６は、透明系フィルム９の外周側の表面に印刷層１４が印刷（形成）されており、内周側の表面に接着層１２が形成されている。前記印刷層１４は、表面に少なくとも１以上の、好ましくは複数の図柄１０と、図柄１０を除く背景１１とで構成される。前記印刷フィルム６は接着層１２により芯部材５に貼り付けられる。なお、前記印刷フィルム６は転写、複写、又は絵付けなどの印刷以外の手段によって図柄１０又は背景１１を付与されても良く、これらの手段で図柄１０又は背景１１が形成されている場合も印刷フィルム６に含められる。
【００１５】
前記透明系フィルム９は、ポリプロピレン、ポリエチレンなどのポリオレフィン系樹脂；ポリエチレンテレフタレートなどのポリエステル系樹脂；ナイロン、アラミドなどのポリアミド系樹脂から選ばれる少なくとも１種以上の樹脂で形成される。これらの樹脂は複数用いて良い。また、透明系フィルム９は、２軸延伸でも１軸延伸でも良く、印刷面にコロナ処理が施されるのが好ましい。さらに、透明系フィルム９は、貼着できれば特に厚みは限定されないが、９〜１５０μｍ程度とされるのが良い。
【００１６】
前記接着層１２は、酢酸ビニル系、変性酢酸ビニル系、塩化酢酸ビニル系、ポリウレタン系、ポリアミド系、ポリエステル系、スチレンブタジエン系、アクリル系等の接着剤を用いることができ、必要に応じてテルペン等の粘着付与剤を加えることもできる。これらの中でも芯部材５（及び外層７）との相溶性が良く接着強度に優れるアクリル系接着剤を用いるのが好ましい。
【００１７】
前記図柄１０は、例えばハムスター、馬、犬、猫、ライオン、象などの哺乳類；ペリカン、オウム、白鳥、クジャクなどの鳥類、蝶、カブトムシなどの昆虫類；トカゲなどのは虫類；カエルなどの両生類に属する動物、花、椰子、果物、種子などの植物、星、惑星、乗物、国旗、マンガや映画等の登場人物などの写真、絵、シルエット又はこれらを元に変形（デフォルメ）したキャラクター画図などである。
【００１８】
前記外層７は、アクリル系樹脂により略中空円筒状に形成されており、内周面側で前記印刷フィルム６上を周方向に亘って被覆するように形成され、外周面側に円弧状に湾曲した外層レンズ１３が形成されている。この外層レンズ１３は、周方向の正面から見た場合に手前側に向かって円弧状に隆起した断面が上下に亘って形成されており、外層レンズ面１３で一旦周（横）方向に拡大された光をさらにこの外層レンズ１３で周方向に拡大する二重レンズ効果により、外層レンズ１３を透過して視認される映像を芯部材５のみを透過した場合より芯部材５の周（横）方向に拡大させる。
【００１９】
前記外層７は、芯部材５を構成するアクリル系樹脂同様に、メタクリル酸エステル重合体、アクリル酸エステル重合体、又はこれらと他のモノマーとの共重合体のいずれかを用いることができ、好ましくは光透過度９０％以上かつ屈折率１．４以上のメタクリル酸エステル重合体を用いるのが良い。
前記外層７は層厚が２ｍｍ以上、好ましくは５ｍｍ以上とするのが好ましく、これによって外層７により印刷フィルム６を傷付きや衝撃から保護することが可能となると共に、内層レンズ面８で屈折した光を距離をあけた外層レンズ１３で二重に屈折可能となって、前記印刷フィルム６の図柄１０の見え方を大きく変化させて装飾性を十分に発揮させることができる。
【００２０】
前記印刷層１４は、光非透過性の図柄１０と光透過性の背景１１（図柄１０を有していない部分）とで構成されている。即ち、前記背景１１はＪＩＳ  Ｚ８７２９のＣＩＥ表色系におけるＬ*が６０以上となるように印刷され、前記図柄１０はＣＩＥ表色系におけるＬ*が背景１１より小さい色彩に（濃色に）印刷される。これによって、背景１１を通して芯部材５の向こう側に位置する図柄１０を視認可能となり、図柄１０の重絵的効果が奏される。なお、前記背景１１は印刷や絵付けを行っていない透明系フィルム９をそのまま利用してあっても良い。
【００２１】
図４〜図６に基づいて、周方向の正面から本考案の柄部１を見た場合の、前記印刷フィルム６に印刷された図柄１０の視認状態を説明する。
図４（ａ）は本考案の柄部１の断面図であり、印刷フィルム６の芯部材５を挟んだ向こう正面側に位置する図柄１０ａが柄部１においてどのように屈折するかを示している。また、図４（ｂ）は観察位置Ｗにおける前記図柄１０ａの視覚的な図柄像１０ｃを示している。
【００２２】
前記柄部１は、円形の芯部材５と、この芯部材５の周表面に貼着される印刷フィルム６と、前記芯部材５の外側に同心円的に形成された外層７とを有しており、外層７から距離をおいて観察位置Ｗが設けられている。前記図柄１０は観察位置Ｗから見て手前側の図柄１０ｂと、この図柄１０ｂから芯部材５を挟んで向こう正面に位置する図柄１０ａとで構成されている。
【００２３】
図４（ａ）においては、観察位置Ｗの反対側から入射した光Ｌ１は図柄１０ａを透過し、図柄１０ａの映像出力として平行なまま芯部材５を透過して、内層レンズ９に到達する。この内層レンズ９において光Ｌ１は、前記芯部材５のアクリル系樹脂の屈折により周（横）方向に拡大され、外層７に出力されると考えられる。前記外層７を透過した光Ｌ１は、外層７の外周面の外層レンズ１３に到達し、ここで外層７のアクリル系樹脂の屈折によりさらに周（横）方向に拡大され、観察位置Ｗに出力されると推定される。
【００２４】
よって、図４（ｂ）に示されるように、観察位置Ｗから視覚される図柄１０ａの図柄像１０ｃは実物の約２倍程度には横に引き伸ばされて視覚される。
図５（ａ）は本考案の柄部１の断面図であり、印刷フィルム６の正面側に位置する図柄１０ｂが柄部１においてどのように屈折するかを示している。また、図５（ｂ）は観察位置Ｗにおける前記図柄１０ｂの視覚的な図柄像１０ｄを示している。
【００２５】
図５（ａ）においては、観察位置Ｗの反対側から入射した光Ｌ２は観察位置Ｗの反対側の外層７と芯部材５とを透過した後に、観察位置Ｗから見て手前側の図柄１０ｂに到達すると考えられる。図柄１０ｂを透過した光Ｌ２は外層７を平行なまま透過し、外層７の外層レンズ１３で横に引き伸ばされて、観察位置Ｗに出力されると推定される。
よって、図５（ｂ）に示されるように、観察位置Ｗから視覚される図柄１０ｂの図柄像１０ｄは実物より横に引き伸ばされて視覚されるが、前記図柄像１０ｃ程大きくは視覚されない。
【００２６】
その結果、図６に示されるように、観察位置Ｗから見た図柄１０ａの図柄像１０ｃは、屈折の回数が多い分だけ図柄１０ｂの図柄像１０ｄより大きく視覚されることになる。また、図柄像１０ｄの間にこれより大きい図柄像１０ｃが入り込む程度に間隔をあけて、図柄１０はその大きさの１．４〜２．０倍は互いに距離をあけて点在させるのが好ましい。これによって手前側の点在する図柄１０ｂの間から芯部材５を挟んで向こう正面に位置する図柄１０ａが見えるようになり、図柄１０ａと図柄１０ｂとが重って対比されることで、遠近感を感じさせる良好な装飾性が奏される。
【００２７】
前記芯部材５を円柱状に形成することで、印刷フィルム６を芯部材５の表面に隙間なく貼着可能となり、しわや気泡が入り込まないように印刷フィルム６を貼着できるので、印刷フィルム６の装飾性が損なわれ難くなる。
図７に示されるように、第２実施形態の柄部１は、主に傘やステッキに用いられるものであって、正面視略Ｊ字状に形成されており、図７の上側に位置するロッド２の基端側を嵌着することで取り付けられている。
【００２８】
前記柄部１は、正面視略Ｊ字状に形成された前記アクリル系樹脂の芯部材５の外周面に、予め印刷等を行った熱収縮可能な印刷フィルム６を袋状に形成し、これを芯部材５に被せて加熱させて収縮させ、次いでその外周側に前記アクリル系樹脂を注型重合等させた外層７を設けており、ロッド２側への嵌着に用いられる凹部３は前記注型重合後に形成されている。
【００２９】
前記柄部１は、下側に向かって湾曲した部分の内周側の内層レンズ８ａ及び外層レンズ１３ａの曲率半径が、外周側の内層レンズ８ｂ及び外層レンズ１３ｂの曲率半径より小さく、図柄１０の見え方が第１実施形態（円柱体の場合）と異なっており、さらに良好な装飾性が奏される。
本考案は前記実施形態における各部材の形状およびそれぞれの前後・左右・上下の位置関係は、図１〜７に示すように構成することが最良である。しかし、前記実施形態に限定されるものではなく、部材、構成を種々変形したり、組み合わせを変更したりすることもできる。
【００３０】
前記実施形態においては、ロッド本体２の把持側基端２ａに設けられたネジ部２ｂと柄部１の固定孔４とが螺合してロッド本体２が柄部１に取り付けられていたが、例えば嵌着、接着、又は鋲着などによって取付を行うこともできる。
前記芯部材５、外層６、又は透明系フィルム９のいずれかに、例えば着色性の顔料を配合しても良い。
【図面の簡単な説明】
【００３１】
【図１】本考案の第１実施形態の柄部の斜視図である。
【図２】図１のＡ−Ａ断面図である。
【図３】図２のＢ−Ｂ断面図及び断面の一部の拡大図である。
【図４】芯部材を挟んで向こう正面に位置する図柄が拡大される状態を示す説明図  である。
【図５】正面側に位置する図柄が拡大される状態を示す説明図である。
【図６】実際に柄部の側方から視覚される図柄映像を示す説明図である。
【図７】第２実施形態の柄部の正面図である。
【符号の説明】
【００３２】
１    柄部
２    ロッド
３    凹部
４    固定孔
５    芯部材
６    印刷フィルム
７    外層
８    内層レンズ
９    透明系フィルム
１０  図柄
１１  背景
１３  外層レンズ
【図１】
0003121241.tif 000003
【図２】
0003121241.tif 000004
【図３】
0003121241.tif 000005
【図４】
0003121241.tif 000006
【図５】
0003121241.tif 000007
【図６】
0003121241.tif 000008
【図７】
0003121241.tif 000009